(57)【要約】【課題】複数の機器に使用される不特定話者音声認識エンジンをインターネットを介して個別のユーザに提供するシステム及び方法を提供する。【解決手段】このシステムは、ユーザログインユニット１０、記憶ユニット２０、音声認識エンジン作成ユニット３０及びエンジンダウンロードユニット４０を含む。この方法は、ステップａ及びステップｂを含む。ステップａは、ユーザが異なる電子機器により音声を入力し、入力された音声はインターネットによりインターネット上で提供されるシステムの記憶ユニット２０内に送信、保存されるステップである。ステップｂは、インターネット上で提供される音声認識エンジン作成ユニット３０を利用して、ユーザにより入力された音声及び各電子機器の特性に基づき、各電子機器に使用されるのに適当な音声認識エンジンを作成するステップである【選択図】図１
2009145435.tif 000002
【特許請求の範囲】
【請求項１】
記憶ユニット及び音声認識エンジン作成ユニットを備える複数の機器に使用される不特定話者音声認識エンジンがインターネットを介して個別のユーザに提供されるシステムであって、
前記記憶ユニットはユーザにより電子機器を介して入力された音声を保存するのに使用され、
前記音声認識エンジン作成ユニットはユーザにより入力された音声及び使用される電子機器の特性に基づき、各電子機器音に使用されるのに適した不特定話者音声認識エンジンを作成する
ことを特徴とする複数の機器に使用される不特定話者音声認識エンジンをインターネットを介して個別のユーザに提供するシステム。
【請求項２】
異なるユーザが音声認識機能を有する電子機器を使用してインターネットからログインするシステムを提供するユーザログインユニットをさらに備えることを特徴とする請求項１に記載の複数の機器に使用される不特定話者音声認識エンジンをインターネットを介して個別のユーザに提供するシステム。
【請求項３】
ユーザが不特定話者音声認識機能を使用するために、各不特定話者音声認識エンジンを対応する各電子機器にダウンロードするのに提供されるエンジンダウンロードユニットをさらに備えることを特徴とする請求項１又は２に記載の複数の機器に使用される不特定話者音声認識エンジンをインターネットを介して個別のユーザに提供するシステム。
【請求項４】
使用される電子装置は、携帯電話、デスクトップ型パソコン、ノートブック型パソコン又はＰＤＡであることを特徴とする請求項１に記載の複数の機器に使用される不特定話者音声認識エンジンをインターネットを介して個別のユーザに提供するシステム。
【請求項５】
利用されるインターネットは、コンピュータインターネット、携帯電話回線又は固定電話回線であることを特徴とする請求項１に記載の複数の機器に使用される不特定話者音声認識エンジンをインターネットを介して個別のユーザに提供するシステム。
【請求項６】
前記音声認識エンジン作成ユニットはモデル訓練技術又はモデル調整技術により、ユーザの音声及び使用される電子機器の特性に基づき、前記電子機器に使用されるのに適した前記不特定話者音声認識エンジンを作成することを特徴とする請求項１に記載の複数の機器に使用される不特定話者音声認識エンジンをインターネットを介して個別のユーザに提供するシステム。
【請求項７】
ステップａ及びステップｂを備える複数の機器に使用される不特定話者音声認識エンジンがインターネットを介して個別のユーザに提供される方法であって、
前記ステップａはユーザにより電子機器を介して入力された音声がインターネットを介してインターネット上のプラットフォーム内で提供される記憶ユニットに送信、保存されるステップであって、
前記ステップｂはインターネット上で提供される音声認識エンジン作成ユニットを使用して、ユーザの入力した音声及び使用される電子機器の特性に基づき、前記電子機器に使用されるのに適した前記不特定話者音声認識エンジンを作成するステップであることを特徴とする複数の機器に使用される不特定話者音声認識エンジンをインターネットを介して個別のユーザに提供する方法。
【請求項８】
前記ステップａの前に、ユーザが電子機器によりインターネット上で提供されるユーザログインユニットから前記システムにログインするステップａ１をさらに含むことを特徴とする請求項７に記載の複数の機器に使用される不特定話者音声認識エンジンをインターネットを介して個別のユーザに提供する方法。
【請求項９】
前記ステップｂの後に、インターネット上で提供されるエンジンダウンロードユニットを利用して、ユーザがインターネットを介して作成した不特定話者音声認識エンジンをダウンロードして使用するステップｃをさらに含むことを特徴とする請求項７又は８に記載の複数の機器に使用される不特定話者音声認識エンジンをインターネットを介して個別のユーザに提供する方法。
【請求項１０】
使用される電子装置は、携帯電話、デスクトップ型パソコン、ノートブック型パソコン又はＰＤＡであることを特徴とする請求項７に記載の複数の機器に使用される不特定話者音声認識エンジンをインターネットを介して個別のユーザに提供する方法。
【請求項１１】
利用されるインターネットは、コンピュータインターネット、携帯電話回線又は固定電話回線あることを特徴とする請求項７に記載の複数の機器に使用される不特定話者音声認識エンジンをインターネットを介して個別のユーザに提供する方法。
【請求項１２】
前記音声認識エンジンの作成はユーザの音声及び使用される電子機器の特性に基づき、モデル訓練技術又はモデル調整技術によることを特徴とする請求項７に記載の複数の機器に使用される不特定話者音声認識エンジンをインターネットを介して個別のユーザに提供する方法。
【発明の詳細な説明】
【技術分野】
【０００１】
本発明は、音声認識エンジンのシステム及び方法に関し、特に複数の機器に使用される不特定話者音声認識エンジンをインターネットを介して個別のユーザに提供するシステム及び方法に関する。
【背景技術】
【０００２】
音声認識技術は、デスクトップ型パソコン、ノートブック型パソコン、携帯電話、ＰＤＡなどの電子機器の使用において、ユーザにさらなる利便性をもたらした。ユーザは、マイクなどによりディクティションを行なうだけで、言葉が文字化されたり、さらなるコマンドになるなどして、入力や各種の電子機器の操作が簡単に行なえるようになった。例えば、ユーザは、音声認識技術により口述により文章を書くことができたり、携帯電話を使用する際に、音声でダイアルできたりするのである。音声認識技術は、一般のユーザに利便性をもたらすだけでなく、身体障害者や筋肉萎縮症患者などにとっては、さらに貴重な技術である。
【０００３】
音声認識技術の利用において、音声認識エンジンは、特定話者音声認識エンジンと、不特定話者音声認識エンジンと、２つのモデルに分けることができる。
【０００４】
特定話者音声認識エンジンは、事前にユーザの音声データが大量に登録されるため、音声認識エンジンを学習させ訓練する工程が必要なく、直接使用することができる。しかし、音声認識エンジンを訓練する工程が省略できるものの、個別のユーザの発音は異なるため、ユーザ本人以外の音声データを判断基準にした場合、特定話者音声認識エンジンは、精度が不特定話者音声認識エンジンに比べて大幅に劣るという短所を有する。
【０００５】
不特定話者音声認識エンジンは、ユーザが事前に不特定話者音声認識エンジンに対して、訓練と調整を行なう。要するに、ユーザの音声データが入力されて、はじめて不特定話者音声認識エンジンの利用が可能なのである。携帯電話の音声ダイアル機能を例にすると、ユーザは、事前に自分の音声で受信者の氏名を録音しなければ、使用することができない。音声認識の精度は、比較的高いが、使用においては甚だ不便である。ユーザがわざわざ電子機器の不特定話者音声認識エンジンに対して訓練を行なっても、新しい電子機器に交換する際には、再び新しい電子機器の不特定話者音声認識エンジンに対して訓練を行なわなければならない。携帯電話を例にすると、新しい携帯電話に交換したら、ユーザは、再び音声データを入力しなおし、不特定話者音声認識エンジンに対して訓練を行なわねば、使用できないのである。
【０００６】
電子機器の普及により、ユーザは、複数の電子機器を所有するようになった。上述したように、不特定話者音声認識エンジンを利用する際には、ユーザは、異なる種類の電子機器に対して、それぞれ訓練を行なわなければならなく、時間の浪費のみならず、音声認識技術に対して使用意欲さえも失ってしまうという欠点を有する。仮に、上記の不特定話者音声認識エンジンの使用における欠点を効果的に解決したり、認識能力がより正確である不特定話者音声認識エンジンがさらに普及したりすることが可能なら、音声認識テクノロジー産業の発展を促進させることができる。
本発明は、現在における最先端のインターネット技術を基に、不特定話者音声認識エンジンの高精度を維持しつつ、ユーザが長期に亘り入力した音声データを異なる電子機器の不特定話者音声認識エンジンの訓練に利用し、不特定話者音声認識エンジンの使用前に行なう長時間の訓練過程を省略するものである。
【特許文献１】特開２００３−２９５８９３号公報
【発明の開示】
【発明が解決しようとする課題】
【０００７】
本発明の第１の目的は、ユーザが異なる電子機器を使用する際に、あらかじめ保存された音声データを使用して、使用される各電子機器の特性に基づき、その電子機器に使用されるのに適当な不特定話者音声認識エンジンを自動的に作成することにより、改めて訓練を行なう必要がなく、ユーザが異なる電子機器上で不特定話者音声認識エンジンを使用するのに利便性がある複数の機器に使用される不特定話者音声認識エンジンをインターネットを介して個別のユーザに提供するシステム及び方法を提供することにある。
本発明の第２の目的は、インターネットを利用して異なる電子機器における同一ユーザの音声データを長期に亘り保存し、予め学習や訓練を行なわなくても異なる電子機器上で使用できる不特定話者音声認識エンジンを作成するのに用いられることにより、ユーザにより異なる電子機器で使用される不特定話者音声認識エンジンをつねに精密化し、ユーザのニーズにさらに沿うものにする複数の機器に使用される不特定話者音声認識エンジンがインターネットを介して個別のユーザに提供されるシステム及び方法を提供することにある。
【課題を解決するための手段】
【０００８】
上述の目的を達成するため、本発明は複数の機器に使用される不特定話者音声認識エンジンをインターネットを介して個別のユーザに提供されるシステムを提供する。本発明の複数の機器に使用される不特定話者音声認識エンジンをインターネットを介して個別のユーザに提供するシステムは、記憶ユニット及び音声認識エンジン作成ユニットを備える。記憶ユニットは、ユーザにより電子機器を介して入力された音声を保存する。音声認識エンジン作成ユニットは、ユーザにより入力された音声及び使用される電子機器の特性に基づき、各電子機器音に使用されるのに適した不特定話者音声認識エンジンを作成する。
【０００９】
本発明の複数の機器に使用される不特定話者音声認識エンジンをインターネットを介して個別のユーザに提供する方法は、次のステップａ及びステップｂを備える。ステップａはユーザにより電子機器を介して入力された音声がインターネットを介してインターネット上のプラットフォーム内で提供される記憶ユニットに送信、保存されるステップである。前記ステップｂはインターネット上で提供される音声認識エンジン作成ユニットを使用して、ユーザの入力した音声及び使用される電子機器の特性に基づき、前記電子機器に使用されるのに適した前記不特定話者音声認識エンジンを作成するステップである。
【００１０】
これにより、ユーザが異なる電子機器を使用する際、保存された音声データ及び使用される電子機器の特性に基づき、作成された不特定話者音声認識エンジンは、インターネットからその電子機器に直接ダウンロードして使用でき、使用する際には、改めて訓練を行なう必要がなくなった。
【発明の効果】
【００１１】
本発明のインターネットを利用して個別のユーザに提供される複数の電子機器に使用される不特定話者音声認識エンジンは、本発明のシステム及び方法により、インターネット上に音声データが保存でき、異なる電子機器を使用する際には、保存された音声及び各電子機器の特性に基づき、各電子機器に使用されるのに適当な不特定話者音声認識エンジンを作成するため、新しい電子機器を使用する際には、改めて訓練を行なう必要がなくなった。
【００１２】
本発明のシステム及び方法により、ユーザの音声データが長期に亘り保存でき、不特定話者音声認識エンジンの精度を大幅に向上させ、不特定話者音声認識エンジンをユーザの需要にさらに沿うものにした。
【００１３】
本発明のシステム及び方法により、本発明の音声認識システムをインターネット上の大型ポータルサイト内に設け、長期的に音声データを収集したり、利用したりして、さらに精度の高い不特定話者音声認識エンジンが得られるだけでなく、使用されるポータルサイト側も長期的に安定して顧客が獲得できるため、双方にとって利益があるものになった。
【発明を実施するための最良の形態】
【００１４】
以下、本発明の実施形態を図面に基づいて説明する。
図１は、本発明の第１の実施形態による複数の機器に使用される不特定話者音声認識エンジンが、インターネットを介して個別のユーザに提供されるシステムを示す図である。図１に示すように、本発明の複数の機器に使用される不特定話者音声認識エンジンがインターネットを介して個別のユーザに提供されるシステムは、インターネット上のプラットフォーム１内に記憶ユニット２０及び音声認識エンジン作成ユニット３０を含む。記憶ユニット２０は、ユーザが携帯電話２を介して入力した音声を保存する。音声認識エンジン作成ユニット３０は、携帯電話２を介して入力された音声及び携帯電話２の特性に基づき、音声認識エンジンを作成して携帯電話２に提供する。
【００１５】
音声認識エンジン作成ユニット３０は、モデル訓練技術又はモデル調整技術により、ユーザの音声に基づき、音声認識エンジンを作成する。作成された音声認識エンジンは、音声から特徴パラメータを抽出したデバイス、訓練済みの比較データ及びモデル認識の検索比較デバイスを含む。また、音声認識エンジンの作成が使用する電子機器に適用できるように、電子機器に用いられるハード及びソフトウェアの環境も考慮しなければならない。
【００１６】
図２は、本発明の第２の実施形態による複数の機器に使用される不特定話者音声認識エンジンがインターネットを介して個別のユーザに提供されるシステムを示す図である。図２に示すように、本発明の複数の機器に使用される不特定話者音声認識エンジンがインターネットを介して個別のユーザに提供されるシステムは、インターネット上のプラットフォーム１内にユーザログインユニット１０、記憶ユニット２０、音声認識エンジン作成ユニット３０及びエンジンダウンロードユニット４０を含む。
【００１７】
第２の実施形態において、ユーザログインユニット１０は、異なるユーザが異なる電子機器によりインターネットからログインするシステムを提供するのに用いられる。記憶ユニット２０は、ユーザにより異なる電子機器に入力された音声を保存するのに用いられ、ユーザにより異なる電子機器に入力された音声を分類して保存し、入力された音声はインターネットにより記憶ユニット２０内に送信、保存される。音声認識エンジン作成ユニット３０は、ユーザにより入力された音声及び各電子機器の特性に基づき、各電子機器に使用されるのに適当な音声認識エンジンを作成する。エンジンダウンロードユニット４０は、ユーザが各電子機器で各電子機器に使用されるのに適当な音声認識エンジンをダウンロードするのに提供される。
【００１８】
図２に示すように、音声認識機能を有する携帯電話２が使用される時、ユーザは、インターネットを利用してユーザログインユニット１０から本発明の音声認識エンジンシステムにログインし、携帯電話２のユーザの音声を入力する音信接収装置を利用して、インターネットを介して記憶ユニット２０内に送信、保存する。その後、ユーザにより入力された音声及び各電子機器の特性に基づき、音声認識エンジン作成ユニット３０が音声認識エンジンを作成し、エンジンダウンロードユニット４０がインターネットを介してユーザの携帯電話２にダウンロードする。
【００１９】
図３は、本発明の第２の実施形態による複数の機器に使用される不特定話者音声認識エンジンがインターネットを介して個別のユーザに提供されるシステムを示すもう１つの図である。図３に示すように、ユーザが以前使用していた携帯電話２により、すでに音声が音声認識システムの記憶ユニット２０に保存されていた状況において、ユーザが他の携帯電話２´を使用する際、まず、インターネットを介してユーザログインユニット１０を利用して携帯電話２´のデータを本発明の音声認識エンジンシステムに入力する。すると、音声認識エンジン作成ユニット３０がユーザにより入力された音声及び携帯電話２´の特性に基づき、携帯電話２´に使用されるのに適当な音声認識エンジンを作成する。最後に、エンジンダウンロードユニット４０がインターネットを介してユーザの携帯電話２´にダウンロードする。以上のように、ユーザは、直接新しい携帯電話２´の音声認識機能を使用することができ、新しい携帯電話２´に対してあらかじめ長時間の訓練を行なう必要がないのである。また、新しい携帯電話２´に入力された音声は、インターネットを介して同様に記憶ユニット２０内に保存され、ユーザの音声データ保存量が蓄積される。これにより、音声認識エンジン作成ユニット３０により作成される音声認識エンジンは、つねに精密化され、新しい携帯電話２´の音声認識精度が大幅に向上し、同時に他の電子機器に使用される音声認識エンジンも精密化される。
【００２０】
図４は、本発明の第２の実施形態による複数の機器に使用される不特定話者音声認識エンジンがインターネットを介して個別のユーザに提供されるシステムを示すさらにもう１つの図である。図４に示すように、ユーザにより先に使用された電子機器と、後に使用される電子機器とは、異なる種類のものであっても構わない。ユーザが携帯電話２及び携帯電話２´によりインターネットを介して音声データを入力し、それを記憶ユニット２０に保存した後で、ノートブック型パソコン３の音声認識機能を使用する場合、インターネットを介してユーザログインユニット１０を利用してノートブック型パソコン３のデータを入力すると、音声認識エンジン作成ユニット３０がユーザにより入力された携帯電話２と携帯電話２´の音声、及びノートブック型パソコン３の特性に基づき、ノートブック型パソコン３に使用されるのに適当な音声認識エンジンを作成する。最後に、エンジンダウンロードユニット４０がインターネットを介してユーザのノートブック型パソコン３にダウンロードする。以上のように、ユーザは、直接ノートブック型パソコン３の音声認識機能を使用することができ、ノートブック型パソコン３に対してあらかじめ長時間の訓練時間を行なう必要がないのである。また、ノートブック型パソコン３に入力された音声は、インターネットを介して同様に記憶ユニット２０内に保存され、ユーザの音声データ保存量が蓄積される。これにより、音声認識エンジン作成ユニット３０により作成される音声認識エンジンは、つねに精密化され、ノートブック型パソコン３の音声認識精度が大幅に向上し、同時に他の電子機器に使用される音声認識エンジンも精密化される。
【００２１】
上述したように、本発明の複数の機器に使用される不特定話者音声認識エンジンがインターネットを介して個別のユーザに提供されるシステムは、インターネット上のプラットフォーム１内に設けられるが、プラットフォーム１は、グーグル、ヤフー、アップル、ＭＳＮなどの大型ポータルサイトであってもよい。これにより、ユーザは、これらのポータルサイトが提供するインターネット上の空間を手軽に利用して長期的に音声データを保存し、不特定話者音声認識エンジンの能力をつねに高めることにより、最良の使用状態を求める。同時に、使用されるポータルサイト側も長期的に安定して顧客が獲得できるため、双方にとって利益がある。
【００２２】
図５は、本発明の実施形態による複数の機器に使用される不特定話者音声認識エンジンがインターネットを介して個別のユーザに提供される方法を示すフローチャート図である。図５に示すように、この方法は、ステップａ１、ステップａ、ステップｂ及びステップｃを順次実行するステップ含むが、ステップａ１は、ユーザが異なる電子機器によりインターネット上で提供されるユーザログインユニットからインターネット上のプラットフォームに設けらるシステムにログインするステップである。次に、ステップａは、ユーザが異なる電子機器により音声を入力し、入力された音声はインターネットによりインターネット上で提供される上記システムの記憶ユニット内に送信、保存されるステップである。続けて、ステップｂは、インターネット上で提供される音声認識エンジン作成ユニットを利用して、ユーザにより入力された音声及び各電子機器の特性に基づき、各電子機器に使用されるのに適当な音声認識エンジンを作成するステップである。最後に、ステップｃは、インターネット上で提供されるエンジンダウンロードユニットを利用して、ユーザがインターネットを介して作成した不特定話者音声認識エンジンをダウンロードして使用するステップである。
【００２３】
上述した音声がインターネットを介して送信、保存される記憶ユニット２０と、使用する電子機器の特性に基づき作成された不特定話者音声認識エンジン３０とは、同じ電子機器又は異なる電子機器上であっても、変わらず作動する。
【００２４】
本発明のシステム及び方法において、ユーザにより使用される電子装置は、携帯電話、デスクトップ型パソコン、ノートブック型パソコン、ＰＤＡなどの電子機器であり、すべて本発明の応用範囲である。また、利用されるインターネットは、コンピュータインターネット、携帯電話回線、固定電話回線などである。
【００２５】
本発明では好適な実施形態を前述の通りに開示したが、これらは決して本発明を限定するものではなく、当該技術を熟知する者は誰でも、本発明の精神と領域を脱しない範囲内で各種の変更や修正を加えることができる。従って、本発明の保護の範囲は、特許請求の範囲で指定した内容を基準とする。
【図面の簡単な説明】
【００２６】
【図１】本発明の第１の実施形態による複数の機器に使用される不特定話者音声認識エンジンがインターネットを介して個別のユーザに提供されるシステムを示す図である。
【図２】本発明の第２の実施形態による複数の機器に使用される不特定話者音声認識エンジンがインターネットを介して個別のユーザに提供されるシステムを示す図である。
【図３】本発明の第２の実施形態による複数の機器に使用される不特定話者音声認識エンジンがインターネットを介して個別のユーザに提供されるシステムを示すもう１つの図である。
【図４】本発明の第２の実施形態による複数の機器に使用される不特定話者音声認識エンジンがインターネットを介して個別のユーザに提供されるシステムを示すさらにもう１つの図である。
【図５】本発明の実施形態による複数の機器に使用される不特定話者音声認識エンジンがインターネットを介して個別のユーザに提供される方法を示すフローチャート図である。
【符号の説明】
【００２７】
１  プラットフォーム
２、２´  携帯電話
３  ノートブック型パソコン
１０  ユーザログインユニット
２０  記憶ユニット
３０  音声認識エンジン作成ユニット
４０  エンジンダウンロードユニット
【図１】
2009145435.tif 000003
【図２】
2009145435.tif 000004
【図３】
2009145435.tif 000005
【図４】
2009145435.tif 000006
【図５】
2009145435.tif 000007